(57)【要約】【課題】  少量多色の塗料を同時に運べ、例えば、塗り残しやはみ出し部分などの、色違いの小さな塗装面を塗装する際の作業性を上げることができる塗料用容器を提供する。【解決手段】  持ち手を備えた外枠１に嵌め入れられる複数の分割容器３，８が備えられ、これら分割容器３，８は、それら複数を一組に合体可能にし、これら一組単位に合体した分割容器３，８には、上記外枠１内にぴったりと嵌る寸法及び形状が備えられている。【選択図】  図５
2020033048.tif 000002
【特許請求の範囲】
【請求項１】
持ち手を備えた外枠に嵌め入れられる複数の分割容器が備えられ、
これら分割容器は、それら複数を一組に合体可能にし、
これら一組単位に合体した分割容器には外枠内にぴったりと嵌る寸法及び形状が備えられた塗料用容器。
【請求項２】
上記分割容器は、合体させたときに隣り合う合わせ面以外の開口縁に、内側に向かって突出するしごき片が形成された請求項１に記載の塗料用容器。
【請求項３】
上記分割容器は、上記外枠に接する側の少なくとも１つの内側面が、塗装用ローラの軸方向長さ以上の幅の平面からなる請求項１または２に記載の塗料用容器。
【発明の詳細な説明】
【技術分野】
【０００１】
この発明は、塗装作業時に塗料を入れ、バケット等に嵌め込んで持ち運ぶことができる塗料用容器に関する。
【背景技術】
【０００２】
従来から、持ち手の無い容器に塗料を入れ、それをバケット等に嵌め込んで持ち運ぶことがあった。使用する色ごとに容器を用意し、色換えの際にその容器を入れ換えて使い捨てにすれば容器の洗浄の手間が省ける。
例えば、図８に示すような持ち手２を備えたバケット１に、塗料を入れた図示しない容器を嵌め入れて持ち運ぶようにしていた。この容器はバケット１とほぼ同形、同寸法のものである。
【先行技術文献】
【特許文献】
【０００３】
【特許文献１】特開２０１３−０９９７５０号公報
【発明の概要】
【発明が解決しようとする課題】
【０００４】
上記従来の容器は、１つのバケット１に１つしか入れられないため、複数の容器を用意しておいても、１色ずつしか持ち運ぶことができない。
ところが、塗装現場では、少量多色の塗料を同時に持ち運びたい場合がある。
例えば、壁面等をローラで塗装するときに、その塗装面に凹凸があると凹部に塗り残しが発生する場合がある。
【０００５】
上記のように凹部に塗り残しができたときには、刷毛や筆もしくはローラを用いてその塗り残し部分を塗装するようにしている。
また、凹部以外でも、塗り残しやはみ出しがあった場合、検査時に、塗り残し部分やはみ出し部分を、刷毛や筆もしくはローラを用いて塗装する。
【０００６】
一方、建物には、通常、いろいろな色が使われている。例えば、壁と、天井、窓枠を、それぞれ異なる色にしている。そのため、上記のような塗り残しやはみ出し部分も、複数の色違いの塗装面ごとに発生する。
このように複数の塗装面に塗り残しやはみ出しが発生したときに、塗装作業者は、色違いの塗装面の色に対応した塗料を少量持ち運び、上記面積の小さい部分を仕上げなければならない。
したがって、色違いの塗装面の数が多くなれば、塗装作業者は、少量多色の塗料を使わなければならない。
【０００７】
ところが、従来のように塗料を１色ずつしか持ち運べなければ、塗装部分が変わるたびに、塗料が入った容器を入れ換えなければならず、作業性が悪いという問題があった。
この発明は、少量多色の塗料を必要とする現場において、塗装作業の作業性を向上させることができる塗料用容器を提供することである。
【課題を解決するための手段】
【０００８】
第１の発明は、持ち手を備えた外枠に嵌め入れられる複数の分割容器が備えられ、これら分割容器は、それら複数を一組に合体可能にし、これら一組単位に合体した分割容器には外枠内にぴったりと嵌る寸法及び形状が備えられている。
上記外枠とは、合体した分割容器の組をまとめて嵌め入れることができるバケット、網状容器、フレームなどである。
なお、ぴったりと嵌るとは、合体した分割容器の外周と外枠の内周との間にがたつきがない状態のことである。
また、上記合体とは、複数の分割容器を組み合わせ、隣り合う分割容器の隣接面同士を密着させた状態のことである。ただし、隣接する分割容器同士が接着して一体化しているわけではない。
【０００９】
第２の発明は、上記分割容器が、合体させたときに隣り合う合わせ面以外の開口縁に、内側に向かって突出するしごき片が形成されている。
上記合わせ面とは、分割容器を合体させたとき、分割容器同士で互いに接触する面のことである。
【００１０】
第３の発明は、上記分割容器において、上記外枠に接する側の少なくとも１つの内側面が、塗装用ローラの軸方向長さ以上の幅の平面からなる。
【発明の効果】
【００１１】
第１の発明によれば、複数の分割容器を外枠に嵌めて同時に持ち運ぶことができる。各分割容器は外枠と比べて容量が小さいので、少量多色の塗料を持ち運ぶのに便利である。例えば、大面積を中心とした塗装が一通り終わった後に、残った塗り残し部分や、はみ出し部分など細かな部分を仕上げる際に、特に有用である。
また、分割容器単位で外枠から取り出すことができるので、分割容器を取り換えることで色換えができ、外枠で持ち運ぶ色の組み合わせを簡単に変更できる。
【００１２】
さらに、塗料の充填や補充を、分割容器を外枠から外した状態で行なうことができるので、特定の分割容器に塗料を入れる際に、隣接する分割容器に塗料が入って混色がおこってしまうようなことがない。そのため、使用中の塗料に別の色が混ざって使えなくなってしまうことがない。
また、残った塗料も一色ずつ廃棄したり塗料缶に戻したりすることができるので、塗料の無駄も少なくできる。
【００１３】
第２の発明によれば、分割容器の開口縁に形成されたしごき片で刷毛や筆をしごくことができる。
しかも、しごき片は、合体させた分割容器の合わせ面以外の開口縁に形成され、上記合わせ面の開口縁には形成されていないため、しごき片が形成されていない合わせ面側から、分割容器内の塗料を流出させることができる。
内側に突出したしごき片の部分から塗料を排出させようとすると、しごき片に塗料が引っかかってうまく流出させることができないことがあるが、この発明によれば、そのような問題は発生しない。
【００１４】
第３の発明によれば、分割容器に刷毛や筆だけでなくローラを入れることができる。したがって、用途に応じて刷毛や筆もしくはローラを使い分けることができる。
また、平坦な内側面でローラをしごくことができる。
【図面の簡単な説明】
【００１５】
【図１】第１実施形態の分割容器の斜視図である。
【図２】第１実施形態の分割容器の斜視図である。
【図３】図１に示す分割容器を合体させてバケットに嵌め入れた状態の平面図である。
【図４】図１に示す分割容器の側面部分の断面図である。
【図５】図１，２に示す分割容器を組み合わせて合体させ、バケットに嵌め入れた状態の平面図である。
【図６】図２に示す分割容器を合体させてバケットに嵌め入れた状態の平面図である。
【図７】第２実施形態の塗料用容器の平面図である。
【図８】バケットの斜視図である。
【発明を実施するための形態】
【００１６】
図１〜６に示す第１実施形態は、図１に示す分割容器３と図２に示す分割容器８とを備えた塗料容器である。
上記分割容器３は、図８に示す底面が略正方形のバケット１を四等分にした形状を備えたもので、底面から起立した側面４，５，６，７で囲まれた容器である。なお、上記側面４，５，６，７の連結部分のうち、側面６と７との連結部分はバケット１の内形状に合わせて面取りされて曲面が介在しているが、他の連結部はほぼ直角になっている。
この分割容器３を４個合体させれば、図３に示すようにバケット１にぴったりと嵌め入れることができる。この第１実施形態では、バケット１がこの発明の外枠を構成する。
【００１７】
そして、図３に示すように４個の分割容器３を合体させたとき、隣接する分割容器３と接触する側面４，５がこの発明の合わせ面である。
また、上記合わせ面以外の開口縁である合わせ面以外の側面６，７の上部には、側面６，７の上端をカールさせて内側に突出させたしごき片６ａ，７ａが形成されている（図４参照）。このしごき片６ａ，７ａの先端６ｂ，７ｂによって、塗料を含ませた刷毛や筆をしごくことができる。
【００１８】
一方、図２に示す分割容器８は、バケット１を二等分した大きさと形状を備えたもので、底面から起立した側面９，１０，１１，１２で囲まれた容器である。
上記側面１１と側面１０，１２との結合部には曲面が介在するが、側面９と側面１０，１２との結合部分はほぼ直角である。
この分割容器８を１個と、２個の上記分割容器３とを合体させれば、図５に示すように、バケット１にぴったりと嵌め入れることができる。そして、分割容器８の側面９が、隣接する分割容器３，３との合わせ面となる。
【００１９】
また、この分割容器８においても、合わせ面である側面９以外の部分の開口縁となる、各側面１０，１１，１２の上端に、図２に示すようにカールさせた先端を内側に突出させたしごき片１０ａ，１１ａ，１２ａが形成されている。このしごき片１０ａ，１１ａ，１２ａの先端１０ｂ，１１ｂ，１２ｂによって刷毛や筆をしごくことができるようにしている。
【００２０】
さらに、この分割容器８において、外枠であるバケット１に接する側面１１の平坦な内側面１１ｃの幅をＷとし、この幅Ｗ内には、図２，５，６に示すように内側に向かって突出する複数のローラしごき突部１３を備えている。
なお、上記内側面１１ｃの両端は曲面になっている。したがって、平坦な内側面１１ｃの幅Ｗは、内側面１１ｃの平坦な部分のみの幅とする。
【００２１】
そして、上記幅Ｗが、塗装用ローラの軸方向以上であれば、塗装用ローラを、この内側面１１ｃに押し当てて転がして、ローラしごき突部１３で余分な塗料をしごき落とすことができる。ただし、上記ローラしごき突部１３が無くても、ローラを平坦な内側面１１ｃに押し付けることができればローラをしごくことができる。
したがって、この分割容器８は、内側面１１ｃ及びローラしごき突部１３によって塗装用ローラをしごくことができ、開口縁のしごき片１１ａによって刷毛や筆をしごくこともできる。
【００２２】
また、上記分割容器８を２個合体させて、図６に示すようにバケット１にぴったりと嵌め入れることもできる。
なお、上記図３，５，６では、バケット１の持ち手２を省略している。
上記のように、図１，２に示す分割容器３，８を合体させてバケット１に嵌め入れれば、分割容器３，８の数だけ異なる色の塗料を同時に持ち運ぶことができる。
そのため、塗り残しやはみ出し部分などのように、色の異なる小面積を塗装する際に、少量多色の塗料を同時に持ち運ぶことができ、塗装作業の作業性を上げることができる。
【００２３】
また、バケット１から、分割容器３または８を個別に取り出すことができるので、色換えが容易で、持ち運ぶ色の組み合わせも簡単に変更できる。
さらに、残った塗料を廃棄したり、塗料缶に戻したりするときも、バケット１から分割容器３，８を取り出して、目的の塗料だけを廃棄したり戻したりできる。複数の分割容器が合体した状態のまま、バケット１を傾けて特定の塗料を流出させようとすると、複数の分割容器から同時に塗料が流れ出てしまう。そうすると、特定の分割容器から流れ出た塗料が別の分割容器に入り込んで塗料が混ざってしまうことがあり、余った塗料を塗料缶に戻すことができない。また、複数の分割容器から同時に流れ出る塗料が広がってバケット１やその周囲を汚してしまうこともある。しかし、この第１実施形態の塗料用容器ではそのようなことはない。
【００２４】
また、各分割容器３，８に形成された上記しごき片６ａ，７ａ，１０ａ，１１ａ，１２ａは、合わせ面以外の開口縁に形成されている。言い換えれば合わせ面の開口縁にはしごき片６ａ，７ａ，１０ａ，１１ａ，１２ａが形成されていない。
もし、しごき片６ａ，７ａ，１０ａ，１１ａ，１２ａが形成されている開口縁から塗料を流出させようとすると、塗料が、しごき片の内側にたまってしまったり、しごき片に引っ掛かってはねてしまったりして、分割容器３，８から塗料をスムーズに取り出すことができない。
【００２５】
しかし、この第１実施形態では、分割容器３，８をバケット１から取り出せば、しごき片が形成されていない合わせ面側から塗料をスムーズに流出させることができる。したがって、上記しごき片６ａ，７ａ，１０ａ，１１ａ，１２ａが形成されていても、それが邪魔にならずに、余った塗料を塗料缶に戻すこともできるし、廃棄する塗料が飛び散って周囲を汚してしまうようなこともない。
【００２６】
また、上記しごき片６ａ，７ａ，１０ａ，１１ａ，１２ａは、分割容器３，８の側面上端をカールさせて形成しているが、そのカール部が各側面より外側に張り出すようにしている。そのため、分割容器３，８をバケット１に嵌め入れたとき、上記カール部がバケット１の開口縁より外側に位置し（図４参照）、このカール部が、バケット１の開口縁を上方から覆うことになる。
したがって、しごき片６ａ，７ａ，１０ａ，１１ａ，１２ａで刷毛や筆をしごいたとき、塗料が多少飛び散ったとしても、それがバケット１に付着することがない。バケット１の外周に、塗料がべたべた付着してしまうことがないので、多数の分割容器の組を持ち運びたい場合であっても、バケット１をいくつも用意する必要がない。
【００２７】
なお、分割容器３，８をどのように組み合わせて合体した一組を構成するのかは、必要な色数や塗料の量に応じて決めればよい。例えば、図３のように、分割容器３のみを組み合わせて合体させれば、４色の塗料を同時に持ち運ぶことができるし、図６のように分割容器８のみを合体させれば２色の塗料を持ち運ぶことができ、刷毛や筆だけでなく、外枠側の内側面１１ｃの幅Ｗ以下の寸法のローラを使用することもできる。
また、図５に示すように、分割容器３と８とを合体させれば、３色を同時に持ち運ぶことができ、色によって刷毛や筆、ローラを使い分けることもできる。
【００２８】
図７に示す第２実施形態は、底面形状が円形のバケット１４にぴったりと嵌る分割容器１５を備えた塗料用容器である。
各分割容器１５は、バケット１４の内側を四等分した大きさと形状とを備えた容器で、扇形の底面に平坦な側面１６，１７と、曲面状の側面１８とを起立させている。
そして、上記側面１６，１７が、４個の分割容器１５を合体させてバケット１４に嵌め入れたとき隣接する分割容器１５との合わせ面となる。
また、上記合わせ面以外の側面１８側の開口縁には第１実施形態と同様に、側面１８の上端をカールさせて内側へ突出するしごき片１８ａが形成されている。
【００２９】
この第２実施形態においても、塗料を入れた分割容器１５を４個合体させてバケット１４に嵌め入れれば、それらはバケット１４にぴったりと嵌り、４色の塗料を同時に持ち運ぶことができる。
したがって、少量多色の塗料を同時に持ち運ぶことができ、例えば、塗り残しやはみ出し部分のような小さな塗装面の塗装作業の作業性を上げることができる。
【００３０】
また、バケット１４からは、分割容器１５を１個ずつ取り出すことができる。したがって、色換えが容易で、一度に持ち運ぶ色の組み合わせも自由に変えることができる。
さらに、上記しごき片１８ａの先端１８ｂによって刷毛や筆をしごくことができるとともに、このしごき片１８ａが塗料の廃棄や戻しの邪魔になることがない点も、第１実施形態と同じである。
【００３１】
なお、第１，２実施形態における各分割容器３，８，１５の形状は上記実施形態のものに限定されない。
複数の分割容器を合体させて、バケット１または１４に嵌め入れたとき、ぴったりと嵌る大きさと形状を備えていればよい。例えば、上記分割容器３，８，１５よりも小さい分割容器を用いて、バケット１，１４内の分割数を多くすれば、より多くの色を同時に持ち運ぶことができる。反対に、分割容器が大きく、バケット１，１４内の分割数が少なければ、同時に持ち運ぶことができる色数が少なくなるが、塗料の量を多くすることができる。
【００３２】
また、上記分割容器３，８，１５を使い捨てにすれば、分割容器を洗浄する手間を省くことができる。
さらに、上記分割容器３，８，１５を樹脂成形体にすれば、各分割容器に設けられたしごき片やしごき突部１３を、分割容器の成形時に同時に形成することができる。ただし、分割容器の材質や形成方法は特に限定されない。
また、この発明の外枠としては、バケット１，１４のほか、網状容器や、フレーム状のものなど、合体した分割容器の形状を保持でき、持ち手が備えられていれば、その形態は限定されない。
【産業上の利用可能性】
【００３３】
少量多色の塗料を必要とする塗装現場で有用である。
【符号の説明】
【００３４】
１，１４    （外枠）バケット
２    持ち手
３，８，１５    分割容器
４，５，９，１６，１７    （合わせ面）側面
６，７，１０，１１，１２，１８    （合わせ面以外の側面）側面
６ａ，７ａ，１０ａ，１１ａ，１２ａ，１８ａ    しごき片
１１ｃ    （外枠に接触する側の）内側面
Ｗ    （外枠に接触する側の内側面の）幅
【図１】
2020033048.tif 000003
【図２】
2020033048.tif 000004
【図３】
2020033048.tif 000005
【図４】
2020033048.tif 000006
【図５】
2020033048.tif 000007
【図６】
2020033048.tif 000008
【図７】
2020033048.tif 000009
【図８】
2020033048.tif 000010